(57)【要約】【課題】データ転送速度の向上を図る上で有利なメモリカードを提供する。【解決手段】メモリカード１０の長さ方向の先部（挿入方向の先部）に、コネクタへの挿入方向と直交する方向に間隔をおいて並べられた複数の仕切り壁１４１０の間の開口１４１４に接片領域２０が配置される。接片領域２０には、長さ方向と直交する方向に並べられそれぞれ前記長手方向に延在する複数の接片２２が設けられている。複数の接片２２は、接片領域２０の基部から先部にわたって挿入方向に沿って延在する第１の接片２４と、接片領域２０の基部から基部と先部との間の中間部に挿入方向に沿って延在する第２の接片２６とを有している。【選択図】        図１
2006079185.tif 000002
【特許請求の範囲】
【請求項１】
メモリを構成する部品が収容されたケースと、
前記ケースのコネクタへの挿入方向の先部に前記挿入方向と直交する方向に延在するように設けられた接片領域と、
前記接片領域に前記挿入方向と直交する方向に並べられそれぞれ前記挿入方向に延在する複数の接片とを有するメモリカードであって、
少なくとも隣り合う３つの接片は、前記接片領域の基部から先部にわたり延在する２つの第１の接片と、前記接片領域の基部から前記基部と前記先部との間の中間部に延在する１つの第２の接片であり、
前記第１の接片は、前記接片領域の基部から細い幅を有して前記挿入方向に延在し前記中間部に至る幅細部と、前記幅細部から該幅細部の幅よりも大きい幅を有して前記挿入方向に延在し前記先部に至る幅広部とを有し、
前記２つの第１の接片の幅細部の間に、前記２つの第１の接片の幅広部の間の隙間よりも大きな寸法の幅の隙間が前記接片領域の基部から前記中間部にわたり形成され、
前記第２の接片は、２つの前記第１の接片の幅細部の間の前記隙間に配置されている、
ことを特徴とするメモリカード。
【請求項２】
メモリを構成する部品が収容されたケースと、
前記ケースのコネクタへの挿入方向の先部に前記挿入方向と直交する方向に延在するように設けられた接片領域と、
前記接片領域に前記挿入方向と直交する方向に並べられそれぞれ前記挿入方向に延在する複数の接片とを有するメモリカードであって、
少なくとも隣り合う５つの接片は、前記接片領域の基部から先部にわたり延在する３つの第１の接片と、前記接片領域の基部から前記基部と前記先部との間の中間部に延在する２つの第２の接片であり、
前記第１の接片は、前記接片領域の基部から細い幅を有して前記挿入方向に延在し前記中間部に至る幅細部と、前記幅細部から該幅細部の幅よりも大きい幅を有して前記挿入方向に延在し前記先部に至る幅広部とを有し、
隣り合う２つの前記第１の接片の幅細部の間に、それぞれ前記２つの第１の接片の幅広部の間の隙間よりも大きな寸法の幅の隙間が前記接片領域の基部から前記中間部にわたり形成され、
前記２つの第２の接片は、隣り合う２つの前記第１の接片の幅細部の間の前記隙間にそれぞれ配置されている、
ことを特徴とするメモリカード。
【請求項３】
隣り合う２つの前記第１の接片の前記基部から前記中間部に至る箇所で互いに向かい合う箇所にそれぞれ切り欠きが設けられ、前記幅細部はこの切り欠きにより形成されていることを特徴とする請求項１または２記載のメモリカード。
【請求項４】
前記接片領域に前記基部から前記先部に前記挿入方向に沿って延在する仕切り壁が前記挿入方向と直交する方向に間隔をおいて複数設けられ、前記２つの第１の接片と１つの第２の接片は隣り合う２つの仕切り壁の間に配置されていることを特徴とする請求項１記載のメモリカード。
【請求項５】
前記接片領域に前記基部から前記先部に前記挿入方向に沿って延在する仕切り壁が前記挿入方向と直交する方向に間隔をおいて複数設けられ、前記３つの第１の接片と２つの第２の接片は隣り合う２つの仕切り壁の間に配置されていることを特徴とする請求項２記載のメモリカード。
【請求項６】
メモリを構成する部品が収容されたケースと、
前記ケースのコネクタへの挿入方向の先部に前記挿入方向と直交する方向に延在するように設けられた接片領域と、
前記接片領域の基部から先部に前記挿入方向に沿って延在し前記挿入方向と直交する方向に間隔をおいて複数設けられた仕切り壁と、
前記隣り合う仕切り壁の間の前記接片領域箇所にそれぞれ設けられた接片とを有する従来のメモリカードに換えて使用できて従来のメモリカードよりも接片の数が多いメモリカードであって、
前記従来のメモリカードと同様な前記ケースと、前記接片領域と、前記仕切り壁と、前記接片とを有し、
前記複数の仕切り壁のうち順番に並べられた３つの仕切り壁の間に位置する１つの仕切り壁が取り除かれ、これにより互いに対向する２つの仕切り壁の間に、他の対向する仕切り壁の間の接片領域箇所よりも面積の大きい第１の接片領域箇所が設けられ、
前記第１の接片領域箇所に、前記挿入方向と直交する方向に並べられて３つの接片が配置され、
前記３つの接片は、前記第１の接片領域箇所の基部から先部にわたり延在する２つの第１の接片と、前記第１の接片領域箇所の基部から前記基部と前記先部との間の中間部に延在する１つの第２の接片であり、
前記第１の接片は、前記第１の接片領域箇所の基部から細い幅を有して前記挿入方向に延在し前記中間部に至る幅細部と、前記幅細部から該幅細部の幅よりも大きい幅を有して前記挿入方向に延在し前記先部に至る幅広部とを有し、
前記２つの第１の接片の幅細部の間に、前記２つの第１の接片の幅広部の間の隙間よりも大きな寸法の幅の隙間が前記第１の接片領域箇所の基部から前記中間部にわたり形成され、
前記第２の接片は、２つの前記第１の接片の幅細部の間の前記隙間に配置され、
前記第１の接片の幅広部の幅方向の中心間の距離は、従来のメモリカードの接片のピッチと同じ寸法で形成され、
隣り合う２つの前記第１の接片の幅広部の間の隙間のピッチ、および、前記他の対向する仕切り壁のピッチは、従来のメモリカードの仕切り壁のピッチと同じ寸法で形成されている、
ことを特徴とするメモリカード。
【請求項７】
メモリを構成する部品が収容されたケースと、
前記ケースのコネクタへの挿入方向の先部に前記挿入方向と直交する方向に延在するように設けられた接片領域と、
前記接片領域の基部から先部に前記挿入方向に沿って延在し前記挿入方向と直交する方向に間隔をおいて複数設けられた仕切り壁と、
前記隣り合う仕切り壁の間の前記接片領域箇所にそれぞれ設けられた接片とを有する従来のメモリカードに換えて使用できて従来のメモリカードよりも接片の数が多いメモリカードであって、
前記従来のメモリカードと同様な前記ケースと、前記接片領域と、前記仕切り壁と、前記接片とを有し、
前記複数の仕切り壁のうち順番に並べられた４つの仕切り壁の間に位置する２つの仕切り壁が取り除かれ、これにより互いに対向する２つの仕切り壁の間に、他の対向する仕切り壁の間の接片領域箇所よりも面積の大きい第１の接片領域箇所が設けられ、
前記第１の接片領域箇所に、前記挿入方向と直交する方向に並べられて５つの接片が配置され、
前記５つの接片は、前記第１の接片領域箇所の基部から先部にわたり延在する３つの第１の接片と、前記第１の接片領域箇所の基部から前記基部と前記先部との間の中間部に延在する２つの第２の接片であり、
前記第１の接片は、前記第１の接片領域箇所の基部から細い幅を有して前記挿入方向に延在し前記中間部に至る幅細部と、前記幅細部から該幅細部の幅よりも大きい幅を有して前記挿入方向に延在し前記先部に至る幅広部とを有し、
前記２つの第１の接片の幅細部の間に、前記２つの第１の接片の幅広部の間の隙間よりも大きな寸法の幅の隙間が前記第１の接片領域箇所の基部から前記中間部にわたり形成され、
前記第２の接片は、３つの前記第１の接片の幅細部の間の前記隙間に配置され、
前記第１の接片の幅広部の幅方向の中心間の距離は、従来のメモリカードの接片のピッチと同じ寸法で形成され、
隣り合う２つの前記第１の接片の幅広部の間の隙間のピッチ、および、前記他の対向する仕切り壁のピッチは、従来のメモリカードの仕切り壁のピッチと同じ寸法で形成されている、
ことを特徴とするメモリカード。
【請求項８】
前記ケースは上ケースと下ケースを有し、前記メモリを構成する部品は、前記上ケースと下ケースの間に収容されたプリント基板を備え、前記プリント基板は絶縁基板を含んで構成され、前記接片は、前記絶縁基板が前記下ケースに臨む面に設けられていることを特徴とする請求項１、２、６または７記載のメモリカード。
【請求項９】
前記第２の接片は、データ信号送受用の接片であることを特徴とする請求項１、２、６または７記載のメモリカード。
【請求項１０】
前記複数の接片は、少なくとも２つのグランド用の接片を有し、これらグランド用接片の前記挿入方向の先端は、他の接片よりも前記接片領域において前記挿入方向の先部寄りに位置していることを特徴とする請求項１記載のメモリカード。
【請求項１１】
メモリを構成する部品が収容されたケースと、前記ケースのコネクタへの挿入方向の先部に前記挿入方向と直交する方向に延在するように設けられた接片領域と、前記接片領域に前記挿入方向と直交する方向に並べられそれぞれ前記挿入方向に延在する複数の接片とを有し、少なくとも隣り合う３つの接片は、前記接片領域の基部から先部にわたり延在する２つの第１の接片と、前記接片領域の基部から前記基部と前記先部との間の中間部に延在する１つの第２の接片であり、前記第１の接片は、前記接片領域の基部から細い幅を有して前記挿入方向に延在し前記中間部に至る幅細部と、前記幅細部から該幅細部の幅よりも大きい幅を有して前記挿入方向に延在し前記先部に至る幅広部とを有し、前記２つの第１の接片の幅細部の間に、前記２つの第１の接片の幅広部の間の隙間よりも大きな寸法の幅の隙間が前記接片領域の基部から前記中間部にわたり形成され、前記第２の接片は、２つの前記第１の接片の幅細部の間の前記隙間に配置されているメモリカードが挿入されるコネクタであって、
前記メモリカードが挿入される挿入口に臨ませて前記メモリカードの接片領域における複数の仕切り壁の間の接片にそれぞれ接触可能な複数の接続端子が前記挿入方向と直交する方向に並べられ、
前記隣り合う３つの接片が設けられた接片領域箇所に対応する前記コネクタの箇所には、前記挿入方向と直交する方向に間隔をおいて３つの接続端子が設けられ、
前記３つの接続端子のうちの両側の２つの接続端子は、前記第１の接片に接触する長さで形成され、残りの１つの接続端子は、前記第２の接片に接触するように前記両側の２つの接続端子よりも大きい長さで形成されている、
ことを特徴とするコネクタ。
【請求項１２】
メモリを構成する部品が収容されたケースと、前記ケースのコネクタへの挿入方向の先部に前記挿入方向と直交する方向に延在するように設けられた接片領域と、前記接片領域に前記挿入方向と直交する方向に並べられそれぞれ前記挿入方向に延在する複数の接片とを有し、少なくとも隣り合う５つの接片は、前記接片領域の基部から先部にわたり延在する３つの第１の接片と、前記接片領域の基部から前記基部と前記先部との間の中間部に延在する２つの第２の接片であり、前記第１の接片は、前記接片領域の基部から細い幅を有して前記挿入方向に延在し前記中間部に至る幅細部と、前記幅細部から該幅細部の幅よりも大きい幅を有して前記挿入方向に延在し前記先部に至る幅広部とを有し、隣り合う２つの前記第１の接片の幅細部の間に、それぞれ前記２つの第１の接片の幅広部の間の隙間よりも大きな寸法の幅の隙間が前記接片領域の基部から前記中間部にわたり形成され、前記２つの第２の接片は、隣り合う２つの前記第１の接片の幅細部の間の前記隙間にそれぞれ配置されているメモリカードが挿入されるコネクタであって、
前記メモリカードが挿入される挿入口に臨ませて前記メモリカードの接片領域における複数の仕切り壁の間の接片にそれぞれ接触可能な複数の接続端子が前記挿入方向と直交する方向に並べられ、
前記隣り合う５つの接片が設けられた接片領域箇所に対応する前記コネクタの箇所には、前記挿入方向と直交する方向に間隔をおいて５つの接続端子が設けられ、
前記５つの接続端子のうちの両側の２つの接続端子と中央の１つの接続端子は、前記第１の接片に接触する長さで形成され、残りの２つの接続端子は、前記第２の接片に接触するように前記両側の２つの接続端子と中央の１つの接続端子よりも大きい長さで形成されている、
ことを特徴とするコネクタ。
【請求項１３】
メモリカードが挿入される挿入口に臨ませて前記メモリカードの接片領域における複数の仕切り壁の間の接片にそれぞれ接触可能な複数の接続端子が前記挿入方向と直交する方向に並べられたコネクタであって、
前記隣り合う仕切り壁の間の接片領域箇所のうちの少なくとも１つの接片領域箇所に対応する前記コネクタの箇所には、前記挿入方向と直交する方向に間隔をおいて３つの接続端子が設けられ、
前記３つの接続端子のうちの両側の２つの接続端子は、それら２つの接続端子の間の１つの接続端子よりも前記挿入方向に沿った長さが短く形成され、
前記３つの接続端子が設けられた前記挿入口の箇所に、この箇所に対応する前記メモリカードの箇所に仕切り壁が形成されている場合に、該仕切り壁に当接してメモリカードの挿入を阻止する挿入阻止壁が設けられている、
ことを特徴とするコネクタ。
【請求項１４】
メモリカードが挿入される挿入口に臨ませて前記メモリカードの接片領域における複数の仕切り壁の間の接片にそれぞれ接触可能な複数の接続端子が前記挿入方向と直交する方向に並べられたコネクタであって、
前記隣り合う仕切り壁の間の接片領域箇所のうちの少なくとも１つの接片領域箇所に対応する前記コネクタの箇所には、前記挿入方向と直交する方向に間隔をおいて５つの接続端子が設けられ、
前記５つの接続端子のうちの両側の２つの接続端子と中央の１つの接続端子は、残りの２つの接続端子よりも前記挿入方向に沿った長さが短く形成され、
前記５つの接続端子が設けられた前記挿入口の箇所に、この箇所に対応する前記メモリカードの箇所に仕切り壁が形成されている場合に、該仕切り壁に当接してメモリカードの挿入を阻止する挿入阻止壁が設けられている、
ことを特徴とするコネクタ。
【請求項１５】
メモリカードが挿入される挿入口に臨ませて前記メモリカードの接片領域における複数の仕切り壁の間の接片にそれぞれ接触可能な複数の接続端子が前記挿入方向と直交する方向に並べられたコネクタであって、
前記隣り合う仕切り壁の間の接片領域箇所のうちの少なくとも１つの接片領域箇所に対応する前記コネクタの箇所には、前記挿入方向と直交する方向に間隔をおいて３つ接続端子が設けられ、
前記３つの接続端子のうちの中央の接続端子は両側の２つの接続端子よりも前記挿入方向に沿った長さが大きく形成され、
前記長さの大きい接続端子は、この長さの大きい接続端子に対応する前記メモリカードの箇所に前記仕切り壁が形成されている場合に、前記メモリカードが前記挿入口に挿入されると、前記長さの大きい接続端子が前記仕切り壁に乗り上がるように構成されている、
ことを特徴とするコネクタ。
【請求項１６】
メモリカードが挿入される挿入口に臨ませて前記メモリカードの接片領域における複数の仕切り壁の間の接片にそれぞれ接触可能な複数の接続端子が前記挿入方向と直交する方向に並べられたコネクタであって、
前記隣り合う仕切り壁の間の接片領域箇所のうちの少なくとも１つの接片領域箇所に対応する前記コネクタの箇所には、前記挿入方向と直交する方向に間隔をおいて５つ接続端子が設けられ、
前記５つの接続端子のうちの両側の２つの接続端子と中央の１つの接続端子は、残りの２つの接続端子よりも前記挿入方向に沿った長さが短く形成され、
前記残りの２つの長さの大きい接続端子は、この長さの大きい接続端子に対応する前記メモリカードの箇所に前記仕切り壁が形成されている場合に、前記メモリカードが前記挿入口に挿入されると、前記２つの長さの大きい接続端子がそれぞれ前記仕切り壁に乗り上がるように構成されている、
ことを特徴とするコネクタ。
【発明の詳細な説明】
【技術分野】
【０００１】
本発明はメモリカードおよびメモリカード用のコネクタに関する。
【背景技術】
【０００２】
データの書き換えが可能なメモリチップを有し、このメモリチップにデータを書き込みあるいはメモリチップからデータを読み出しあるいはメモリチップにデータを書き込みおよび読み出すメモリカードが提供されている（例えば特許文献１参照）。
このようなメモリカードは、外部装置、例えばパーソナルコンピュータに装着されてデータの記録あるいは再生を行うために用いられる。
メモリカードには接片領域が設けられ、その接片領域には、前記外部装置との間でデータ信号や制御信号、電源などを授受するための複数の接片が形成されている。
【０００３】
図２２は従来のメモリカードにおける複数の接片に割り当てられる各信号の説明図である。従来のメモリカードＡ、Ｂは何れも接片１〜接片１０の１０個の接片を有している点は共通であるが、外部装置と授受するデータ信号の仕様は互いに異なっている。
（メモリカードＡの場合）
接片１、接片１０はグランドレベル（Ｖｓｓ）に接続されるＧｒｏｕｎｄ接片である。
接片２はバスステート信号ＢＳが入力される接片である。
接片３、接片９は電源Ｖｃｃが入力される電源入力接片である。
接片４はシリアル形式のデータ信号ＳＤＩＯの入出力を行うデータ信号入出力接片である。
接片５、接片７は信号の割り当てが未定であるＲｅｓｅｒｖｅｄ接片である。
接片６は挿抜検出接片であり、前記外部装置がメモリカードの挿抜検出のために使用するＩＮＳ信号を授受するものであり、データ通信には使われない。
接片８はクロック信号ＳＣＬＫが入力されるクロック入力接片であり、前記バスステート信号ＢＳおよびデータ信号ＳＤＩＯはこのクロック信号ＳＣＬＫに同期して通信される。
【０００４】
（メモリカードＢの場合）
接片１、接片１０はグランドレベル（Ｖｓｓ）に接続されるＧｒｏｕｎｄ接片である。
接片３、接片４、接片５、接片７は、データ信号ＳＩＤＯ０〜ＳＩＤＯ４の入出力を行うデータ信号入出力接片である。なお、パラレルインターフェースモードの時には４ビットのデータ信号ＳＩＤＯ０〜ＳＩＤＯ４の全てがデータ信号入出力接片として用いられる。また、シリアルインターフェースモードの時は、接片４のみがシリアル形式のデータ信号ＳＤＩＯのデータ信号入出力接片として使われ、接片３、接片５、接片７（データ信号ＳＤＩＯ１、ＳＤＩＯ２、ＳＤＩＯ３）は使用されない。。
接片２はデータ信号ＳＩＤＯ０〜ＳＩＤＯ４で通信されるデータの区切りを示すバスステート信号ＢＳが入力される接片である。
接片８はクロック信号ＳＣＬＫが入力されるクロック入力接片であり、前記バスステート信号ＢＳおよびデータ信号ＳＤＩＯ、ＳＩＤＯ０〜ＳＩＤＯ４はこのクロック信号ＳＣＬＫに同期して通信される。
接片９は電源Ｖｃｃが入力される電源入力接片である。
接片６は挿抜検出接片であり、前記外部装置がメモリカードの挿抜検出のために使用するＩＮＳ信号を授受するものであり、データ通信には使われない。
【特許文献１】特開２００３‐１７８２８２号公報
【発明の開示】
【発明が解決しようとする課題】
【０００５】
図２２に示すように、メモリカードＡではデータをシリアル転送しているため、データ転送速度には限界があった。そのため、データ転送速度の向上を図るためにメモリカードＢではデータ転送を４ビットパラレル転送で行えるようにした。
しかしながら、近年、メモリカードは、デジタルスチルカメラやデジタルビデオカメラなどの撮像装置に装着されて高画質で大容量の静止画データや動画データを記録あるいは再生するために用いられたり、あるいは、音響装置に装着されて大容量のオーディオデータを記録あるいは再生するために用いられてきている。
例えば、撮像装置の場合、データ転送速度が遅いと、シャッタを操作してからメモリカードに画像データが格納されるまでに時間を要するため操作性を向上させる上で不利があり、メモリカードの前段にデータ転送速度が高速なバッファメモリを設けるといったコストがかさむ対策が必要であった。
このような背景からメモリカードのデータ速度はより一層の高速化が求められるようになってきている。
一方、メモリカードのデータ転送速度（データ転送レート）を上げるには、転送クロックの高速化という方法があるが、従来のメモリカードＢにおける転送クロックは例えばすでに４０ＭＨｚに達しており、この転送クロックをさらに高い周波数にするには、従来のメモリカードＢの伝送路を大幅に見直す必要がありメモリカードのコストアップが避けられないという問題がある。
また、データ転送速度を向上させた新規なメモリカードを提供する場合には従来のメモリカードとの互換性を保持することが必要である。
本発明はこのような事情に鑑みなされたものであり、その目的は、従来のメモリカードとの互換性を保持しつつデータ転送速度の向上を図る上で有利なメモリカードを提供することにある。また、本発明の目的は、そのようなメモリカードが装着されるコネクタを提供することにある。
【課題を解決するための手段】
【０００６】
上述の目的を達成するため、本発明のメモリカードは、メモリを構成する部品が収容されたケースと、前記ケースのコネクタへの挿入方向の先部に前記挿入方向と直交する方向に延在するように設けられた接片領域と、前記接片領域に前記挿入方向と直交する方向に並べられそれぞれ前記挿入方向に延在する複数の接片とを有するメモリカードであって、少なくとも隣り合う３つの接片は、前記接片領域の基部から先部にわたり延在する２つの第１の接片と、前記接片領域の基部から前記基部と前記先部との間の中間部に延在する１つの第２の接片であり、前記第１の接片は、前記接片領域の基部から細い幅を有して前記挿入方向に延在し前記中間部に至る幅細部と、前記幅細部から該幅細部の幅よりも大きい幅を有して前記挿入方向に延在し前記先部に至る幅広部とを有し、前記２つの第１の接片の幅細部の間に、前記２つの第１の接片の幅広部の間の隙間よりも大きな寸法の幅の隙間が前記接片領域の基部から前記中間部にわたり形成され、前記第２の接片は、２つの前記第１の接片の幅細部の間の前記隙間に配置されていることを特徴とする。
また、本発明のメモリカードは、メモリを構成する部品が収容されたケースと、前記ケースのコネクタへの挿入方向の先部に前記挿入方向と直交する方向に延在するように設けられた接片領域と、前記接片領域に前記挿入方向と直交する方向に並べられそれぞれ前記挿入方向に延在する複数の接片とを有するメモリカードであって、少なくとも隣り合う５つの接片は、前記接片領域の基部から先部にわたり延在する３つの第１の接片と、前記接片領域の基部から前記基部と前記先部との間の中間部に延在する２つの第２の接片であり、前記第１の接片は、前記接片領域の基部から細い幅を有して前記挿入方向に延在し前記中間部に至る幅細部と、前記幅細部から該幅細部の幅よりも大きい幅を有して前記挿入方向に延在し前記先部に至る幅広部とを有し、隣り合う２つの前記第１の接片の幅細部の間に、それぞれ前記２つの第１の接片の幅広部の間の隙間よりも大きな寸法の幅の隙間が前記接片領域の基部から前記中間部にわたり形成され、前記２つの第２の接片は、隣り合う２つの前記第１の接片の幅細部の間の前記隙間にそれぞれ配置されていることを特徴とする。
また、本発明のメモリカードは、メモリを構成する部品が収容されたケースと、前記ケースのコネクタへの挿入方向の先部に前記挿入方向と直交する方向に延在するように設けられた接片領域と、前記接片領域の基部から先部に前記挿入方向に沿って延在し前記挿入方向と直交する方向に間隔をおいて複数設けられた仕切り壁と、前記隣り合う仕切り壁の間の前記接片領域箇所にそれぞれ設けられた接片とを有する従来のメモリカードに換えて使用できて従来のメモリカードよりも接片の数が多いメモリカードであって、前記従来のメモリカードと同様な前記ケースと、前記接片領域と、前記仕切り壁と、前記接片とを有し、前記複数の仕切り壁のうち順番に並べられた３つの仕切り壁の間に位置する１つの仕切り壁が取り除かれ、これにより互いに対向する２つの仕切り壁の間に、他の対向する仕切り壁の間の接片領域箇所よりも面積の大きい第１の接片領域箇所が設けられ、前記第１の接片領域箇所に、前記挿入方向と直交する方向に並べられて３つの接片が配置され、前記３つの接片は、前記第１の接片領域箇所の基部から先部にわたり延在する２つの第１の接片と、前記第１の接片領域箇所の基部から前記基部と前記先部との間の中間部に延在する１つの第２の接片であり、前記第１の接片は、前記第１の接片領域箇所の基部から細い幅を有して前記挿入方向に延在し前記中間部に至る幅細部と、前記幅細部から該幅細部の幅よりも大きい幅を有して前記挿入方向に延在し前記先部に至る幅広部とを有し、前記２つの第１の接片の幅細部の間に、前記２つの第１の接片の幅広部の間の隙間よりも大きな寸法の幅の隙間が前記第１の接片領域箇所の基部から前記中間部にわたり形成され、前記第２の接片は、２つの前記第１の接片の幅細部の間の前記隙間に配置され、前記第１の接片の幅広部の幅方向の中心間の距離は、従来のメモリカードの接片のピッチと同じ寸法で形成され、隣り合う２つの前記第１の接片の幅広部の間の隙間のピッチ、および、前記他の対向する仕切り壁のピッチは、従来のメモリカードの仕切り壁のピッチと同じ寸法で形成されていることを特徴とする。
また、本発明のメモリカードは、メモリを構成する部品が収容されたケースと、前記ケースのコネクタへの挿入方向の先部に前記挿入方向と直交する方向に延在するように設けられた接片領域と、前記接片領域の基部から先部に前記挿入方向に沿って延在し前記挿入方向と直交する方向に間隔をおいて複数設けられた仕切り壁と、前記隣り合う仕切り壁の間の前記接片領域箇所にそれぞれ設けられた接片とを有する従来のメモリカードに換えて使用できて従来のメモリカードよりも接片の数が多いメモリカードであって、前記従来のメモリカードと同様な前記ケースと、前記接片領域と、前記仕切り壁と、前記接片とを有し、前記複数の仕切り壁のうち順番に並べられた４つの仕切り壁の間に位置する２つの仕切り壁が取り除かれ、これにより互いに対向する２つの仕切り壁の間に、他の対向する仕切り壁の間の接片領域箇所よりも面積の大きい第１の接片領域箇所が設けられ、前記第１の接片領域箇所に、前記挿入方向と直交する方向に並べられて５つの接片が配置され、前記５つの接片は、前記第１の接片領域箇所の基部から先部にわたり延在する３つの第１の接片と、前記第１の接片領域箇所の基部から前記基部と前記先部との間の中間部に延在する２つの第２の接片であり、前記第１の接片は、前記第１の接片領域箇所の基部から細い幅を有して前記挿入方向に延在し前記中間部に至る幅細部と、前記幅細部から該幅細部の幅よりも大きい幅を有して前記挿入方向に延在し前記先部に至る幅広部とを有し、前記２つの第１の接片の幅細部の間に、前記２つの第１の接片の幅広部の間の隙間よりも大きな寸法の幅の隙間が前記第１の接片領域箇所の基部から前記中間部にわたり形成され、前記第２の接片は、３つの前記第１の接片の幅細部の間の前記隙間に配置され、前記第１の接片の幅広部の幅方向の中心間の距離は、従来のメモリカードの接片のピッチと同じ寸法で形成され、隣り合う２つの前記第１の接片の幅広部の間の隙間のピッチ、および、前記他の対向する仕切り壁のピッチは、従来のメモリカードの仕切り壁のピッチと同じ寸法で形成されていることを特徴とする。
また、本発明のコネクタは、メモリを構成する部品が収容されたケースと、前記ケースのコネクタへの挿入方向の先部に前記挿入方向と直交する方向に延在するように設けられた接片領域と、前記接片領域に前記挿入方向と直交する方向に並べられそれぞれ前記挿入方向に延在する複数の接片とを有し、少なくとも隣り合う３つの接片は、前記接片領域の基部から先部にわたり延在する２つの第１の接片と、前記接片領域の基部から前記基部と前記先部との間の中間部に延在する１つの第２の接片であり、前記第１の接片は、前記接片領域の基部から細い幅を有して前記挿入方向に延在し前記中間部に至る幅細部と、前記幅細部から該幅細部の幅よりも大きい幅を有して前記挿入方向に延在し前記先部に至る幅広部とを有し、前記２つの第１の接片の幅細部の間に、前記２つの第１の接片の幅広部の間の隙間よりも大きな寸法の幅の隙間が前記接片領域の基部から前記中間部にわたり形成され、前記第２の接片は、２つの前記第１の接片の幅細部の間の前記隙間に配置されているメモリカードが挿入されるコネクタであって、前記メモリカードが挿入される挿入口に臨ませて前記メモリカードの接片領域における複数の仕切り壁の間の接片にそれぞれ接触可能な複数の接続端子が前記挿入方向と直交する方向に並べられ、前記隣り合う３つの接片が設けられた接片領域箇所に対応する前記コネクタの箇所には、前記挿入方向と直交する方向に間隔をおいて３つの接続端子が設けられ、前記３つの接続端子のうちの両側の２つの接続端子は、前記第１の接片に接触する長さで形成され、残りの１つの接続端子は、前記第２の接片に接触するように前記両側の２つの接続端子よりも大きい長さで形成されていることを特徴とする。
また、本発明のコネクタは、メモリを構成する部品が収容されたケースと、前記ケースのコネクタへの挿入方向の先部に前記挿入方向と直交する方向に延在するように設けられた接片領域と、前記接片領域に前記挿入方向と直交する方向に並べられそれぞれ前記挿入方向に延在する複数の接片とを有し、少なくとも隣り合う５つの接片は、前記接片領域の基部から先部にわたり延在する３つの第１の接片と、前記接片領域の基部から前記基部と前記先部との間の中間部に延在する２つの第２の接片であり、前記第１の接片は、前記接片領域の基部から細い幅を有して前記挿入方向に延在し前記中間部に至る幅細部と、前記幅細部から該幅細部の幅よりも大きい幅を有して前記挿入方向に延在し前記先部に至る幅広部とを有し、隣り合う２つの前記第１の接片の幅細部の間に、それぞれ前記２つの第１の接片の幅広部の間の隙間よりも大きな寸法の幅の隙間が前記接片領域の基部から前記中間部にわたり形成され、前記２つの第２の接片は、隣り合う２つの前記第１の接片の幅細部の間の前記隙間にそれぞれ配置されているメモリカードが挿入されるコネクタであって、前記メモリカードが挿入される挿入口に臨ませて前記メモリカードの接片領域における複数の仕切り壁の間の接片にそれぞれ接触可能な複数の接続端子が前記挿入方向と直交する方向に並べられ、前記隣り合う５つの接片が設けられた接片領域箇所に対応する前記コネクタの箇所には、前記挿入方向と直交する方向に間隔をおいて５つの接続端子が設けられ、前記５つの接続端子のうちの両側の２つの接続端子と中央の１つの接続端子は、前記第１の接片に接触する長さで形成され、残りの２つの接続端子は、前記第２の接片に接触するように前記両側の２つの接続端子と中央の１つの接続端子よりも大きい長さで形成されていることを特徴とする。
また、本発明のコネクタは、メモリカードが挿入される挿入口に臨ませて前記メモリカードの接片領域における複数の仕切り壁の間の接片にそれぞれ接触可能な複数の接続端子が前記挿入方向と直交する方向に並べられたコネクタであって、前記隣り合う仕切り壁の間の接片領域箇所のうちの少なくとも１つの接片領域箇所に対応する前記コネクタの箇所には、前記挿入方向と直交する方向に間隔をおいて３つの接続端子が設けられ、前記３つの接続端子のうちの両側の２つの接続端子は、それら２つの接続端子の間の１つの接続端子よりも前記挿入方向に沿った長さが短く形成され、前記３つの接続端子が設けられた前記挿入口の箇所に、この箇所に対応する前記メモリカードの箇所に仕切り壁が形成されている場合に、該仕切り壁に当接してメモリカードの挿入を阻止する挿入阻止壁が設けられていることを特徴とする。
また、本発明のコネクタは、メモリカードが挿入される挿入口に臨ませて前記メモリカードの接片領域における複数の仕切り壁の間の接片にそれぞれ接触可能な複数の接続端子が前記挿入方向と直交する方向に並べられたコネクタであって、前記隣り合う仕切り壁の間の接片領域箇所のうちの少なくとも１つの接片領域箇所に対応する前記コネクタの箇所には、前記挿入方向と直交する方向に間隔をおいて５つの接続端子が設けられ、前記５つの接続端子のうちの両側の２つの接続端子と中央の１つの接続端子は、残りの２つの接続端子よりも前記挿入方向に沿った長さが短く形成され、前記５つの接続端子が設けられた前記挿入口の箇所に、この箇所に対応する前記メモリカードの箇所に仕切り壁が形成されている場合に、該仕切り壁に当接してメモリカードの挿入を阻止する挿入阻止壁が設けられていることを特徴とする。
また、本発明のコネクタは、メモリカードが挿入される挿入口に臨ませて前記メモリカードの接片領域における複数の仕切り壁の間の接片にそれぞれ接触可能な複数の接続端子が前記挿入方向と直交する方向に並べられたコネクタであって、前記隣り合う仕切り壁の間の接片領域箇所のうちの少なくとも１つの接片領域箇所に対応する前記コネクタの箇所には、前記挿入方向と直交する方向に間隔をおいて３つ接続端子が設けられ、前記３つの接続端子のうちの中央の接続端子は両側の２つの接続端子よりも前記挿入方向に沿った長さが大きく形成され、前記長さの大きい接続端子は、この長さの大きい接続端子に対応する前記メモリカードの箇所に前記仕切り壁が形成されている場合に、前記メモリカードが前記挿入口に挿入されると、前記長さの大きい接続端子が前記仕切り壁に乗り上がるように構成されていることを特徴とする。
また、本発明のコネクタは、メモリカードが挿入される挿入口に臨ませて前記メモリカードの接片領域における複数の仕切り壁の間の接片にそれぞれ接触可能な複数の接続端子が前記挿入方向と直交する方向に並べられたコネクタであって、前記隣り合う仕切り壁の間の接片領域箇所のうちの少なくとも１つの接片領域箇所に対応する前記コネクタの箇所には、前記挿入方向と直交する方向に間隔をおいて５つ接続端子が設けられ、前記５つの接続端子のうちの両側の２つの接続端子と中央の１つの接続端子は、残りの２つの接続端子よりも前記挿入方向に沿った長さが短く形成され、前記残りの２つの長さの大きい接続端子は、この長さの大きい接続端子に対応する前記メモリカードの箇所に前記仕切り壁が形成されている場合に、前記メモリカードが前記挿入口に挿入されると、前記２つの長さの大きい接続端子がそれぞれ前記仕切り壁に乗り上がるように構成されていることを特徴とする。
【発明の効果】
【０００７】
そのため、本発明のメモリカードによれば、２つの第１の接片の幅細部の間に、２つの第１の接片の幅広部の間の隙間よりも大きな寸法の幅の隙間が接片領域の基部から中間部にわたり形成され、第２の接片が２つの第１の接片の幅細部の間の隙間に配置されているので、第１の接片と第２の接片を用いることにより入出力するデータ信号のビット幅を拡張できこれによりデータ信号のビット幅を拡張してデータ転送速度の高速化を図る上で有利となり、従来のメモリカード用の外部装置のコネクタにも使用でき互換性を確保することができる。
また本発明のコネクタによれば、前記のメモリカードを使用でき、データ信号のビット幅を拡張してデータ転送速度の高速化を図る上で有利となる。
また本発明のコネクタによれば、従来のメモリカードが挿入されることでコネクタの接続端子が損傷することを防止することができる。
【発明を実施するための最良の形態】
【０００８】
従来のメモリカードとの互換性を保持しつつデータ転送速度の向上を図る上で有利なメモリカードを提供するという目的を、接片領域の基部から先部にわたり延在する２つの第１の接片と、接片領域の基部から基部と先部との間の中間部に延在する第２の接片とを設けることによって実現した。
【実施例１】
【０００９】
次に本発明の実施例１について図面を参照して説明する。
図１は実施例１におけるメモリカード１０を下方から見た斜視図、図２は実施例１におけるメモリカード１０を下方から見た底面図、図３は上ケース１２の単品図で上ケース１２を下方から（メモリカードの内部から）見た底面図、図４は下ケース１４の単品図で下ケース１４を下方から見た底面図、図５はプリント基板１６の単品図でプリント基板１６を下方から見た底面図である。
図６はメモリカード１０の先部の一部分を拡大した図、図７は接片と信号の説明図である。
【００１０】
図１〜図５に示すように、メモリカード１０は、上ケース１２と下ケース１４と、これら上ケース１２と下ケース１４で形成される内部空間に収容されたプリント基板１６とを備えている。
メモリカード１０は、厚さと、この厚さよりも大きな寸法の幅と、この幅よりも大きな寸法の長さとを有しており、この長さ方向がコネクタへ挿入される方向、すなわち挿入方向となる。
図３に示すように、上ケース１２の内面（メモリカードの内部に臨む面）には収容凹部１２０２が設けられ、収容凹部１２０２は、長さ方向の先部（挿入方向の先部）を除いて壁部１２０４により囲まれている。
【００１１】
プリント基板１６はメモリを構成する部品であって、図５に示すように、絶縁基板１６０２と、絶縁基板１６０２が下ケース１４に臨む面に実装された不図示のメモリチップ、メモリチップに対するデータの入出力動作の制御などを司る制御回路を構成する不図示の電子部品、書き込み禁止用の不図示のスイッチなどを備えている。
図２、図５に示すように、プリント基板１６の長さ方向の一端（コネクタへの挿入方向の先部）には長さ方向と直交する方向に延在するように接片領域２０が形成され、接片領域２０には後述する複数の接片２２が設けられている。
【００１２】
図１、図２、図４に示すように、下ケース１４の先部（挿入方向の先部）には、長さ方向に延在する複数の仕切り壁１４１０が前記長さ方向（挿入方向）と直交する方向に間隔をおいて配置され、隣り合う仕切り壁１４１０の間は上下に貫通しつつ前記長さ方向（挿入方向）に延在する開口１４１４となっている。
より詳細には、前記仕切り壁１４１０は、接片領域２０の基部２００２から先部２００４に延在し前記長さ方向（挿入方向）と直交する方向に間隔をおいて複数設けられている。
図８、図９に示すように、メモリカード１０の厚さ方向に沿った仕切り壁１４１０の高さは、下ケース１４の下面１４０６よりも上位となるように設けられ（下面１４０６を上方に向けた場合には下面１４０６よりも低位となる）、それら複数の仕切り壁１４１０の基端は幅方向に延在する傾斜面１４０８により連結されており、この傾斜面１４０８は下面１４０６に接続されている。
また、複数の仕切り壁１４１０の前端上面は薄肉の連結壁１４１２により連結されている。
【００１３】
このような構成からなる上ケース１２、下ケース１４、プリント基板１６は、上ケース１２の収容凹部１２０２にプリント基板１６が載置され、その上に下ケース１４が上ケース１２に合わされ壁部１２０４の複数箇所が超音波で下ケース１４の周囲の箇所に溶着されることで上ケース１２と下ケース１４とが結合され、プリント基板１６が収容されたメモリカード１０が構成される。
この状態で、メモリカード１０の長さ方向の先部（挿入方向の先部）に、コネクタへの挿入方向と直交する方向に間隔をおいて並べられた複数の仕切り壁１４１０の間の開口１４１４に接片領域２０が配置されることになる。
【００１４】
次に本発明の要部である接片２２について詳細に説明する。
図５に示すように、接片領域２０には、前記長さ方向と直交する方向に並べられそれぞれ前記長手方向に延在する複数の接片２２が設けられている。
より詳細に説明すると、図２に示すように、接片１〜接片１０がこれらの順番でメモリカード１０の長さ方向と直交する方向に並べられている。接片１〜接片１０は、実施例では、図１９に示す１０個の接片２２´を有する従来のメモリカード１０´と同じピッチで形成されている。
また接片１１が接片３，４の間に配置され、接片１２が接片４、５の間に配置され、接片１３が接片６，７の間に配置され、接片１４が接片７，８の間に配置されている。
実施例では、接片３，１１，４，１２，５に本発明が適用され、また、接片６，１３，７，１４，８に本発明が適用されている。
図６に示すように、各接片３、４、５は、接片領域２０の基部２００２から先部２００４にわたって前記挿入方向に沿って延在する第１の接片２４をそれぞれ構成している。
また、各接片１１，１２は、接片領域２０の基部２００２から基部２００２と先部２００４との間の中間部２００６に前記挿入方向に沿って延在する第２の接片２６をそれぞれ構成している。
３つの接片３、４、５の基部２００２から中間部２００６に至る箇所で互いに向かい合う箇所にはそれぞれ切り欠き２４０６が設けられている。
これら切り欠き２４０６により各接片３，４，５は、接片領域２０の基部２００２から細い幅を有して前記挿入方向に延在し中間部に至る幅細部２４０２と、幅細部２４０２から該幅細部２４０２の幅よりも大きい幅を有して前記挿入方向に延在し先部２００４に至る幅広部２４０４とを有している。
そして、隣り合う２つの接片３，４および接片４，５の幅細部２４０２の間に、２つの接片３，４および接片４，５の幅広部２４０４の間の隙間Ｓ１よりも大きな寸法の幅の隙間Ｓ２が接片領域２０の基部２００２から中間部２００６にわたり形成されている。
接片１１は、隣り合う２つの接片３，４の幅細部２４０２の間の隙間Ｓ２に配置され、接片１２は、隣り合う２つの接片４，５の幅細部２４０２の間の隙間Ｓ２に配置されている。
そして、このような接片３，１１、４，１２、５により接片のパターンユニットが構成され、このパターンユニットは、実施例では、隣り合う２つの仕切り壁１４１０の間に配置されている。
同様に、図２に示すように接片６，１３，７，１４，８も前記パターンユニットに形成され、隣り合う２つの仕切り壁１４１０の間に配置されている。
なお、接片１、２、９、１０は従来のメモリカードの接片と同様に、接片領域２０の基部２００２から先部２００４にわたり均一幅で前記挿入方向に延在しており、各接片１，２，９，１０は、隣り合う２つの仕切り壁１４１０の間にそれぞれ配置されている。
なお、上記のようにパターンユニットが形成された２つの仕切り壁１４１０の間の接片領域箇所は、接片１、２、９、１０が設けられた２つの仕切り壁１４１０の間の接片領域箇所よりも面積の大きい第１の接片領域箇所２１となっている。
また、実施例では、接片１〜接片１０は、図１９に示す１０個の接片２２´を有する従来のメモリカード１０´と同じピッチ（接片３、４，５，６，７，８にあっては幅広部２４０４の幅方向の中心間の距離）で形成されている。
また、実施例では、図６に示すように、隣り合う２つの第１の接片２４の幅広部２４０４の間の隙間Ｓ１の中心線上に、第２の接片２６の幅方向の中心がくるように配置されている。
また、実施例では、隣り合う２つの第１の接片２４の幅広部２４０４の間の隙間Ｓ２は、従来の各仕切り壁の間に単一の接片が配置される仕切り壁のピッチと同じ寸法のピッチで配置され、また、接片１，２，９，１０が挟まれる仕切り壁１４１０は、従来の各仕切り壁の間に単一の接片が配置される仕切り壁１４１０のピッチと同じ寸法のピッチで配置され、従来の各仕切り壁の間に単一の接片が配置されるメモリカードが挿入されるコネクタに使用できるようになっている。
【００１５】
次に複数の接片２２に対する信号の割り当てについて説明する。
図７に示すように、接片１と接片１０はグランドレベル（Ｖｓｓ）に接続されるＧｒｏｕｎｄ接片である。図２、図５に示すように、これらグランド用接片１，１０の前記挿入方向の先端は、他の接片２〜９よりも接片領域２０において前記挿入方向の端部寄りに位置している。
接片２はデータ信号ＳＩＤＯ０〜ＳＩＤＯ７で通信されるデータの区切りを示すバスステート信号ＢＳが入力される接片である。
接片８はクロック信号ＳＣＬＫが入力されるクロック入力接片であり、前記バスステート信号ＢＳおよびデータ信号ＳＤＩＯ〜ＳＩＤ７はこのクロック信号ＳＣＬＫに同期して通信される。
接片９は電源Ｖｃｃが入力される電源入力接片である。
接片６は挿抜検出接片であり、前記外部装置がメモリカードの挿抜検出のために使用するＩＮＳ信号を授受するものであり、データ通信には使われない。
【００１６】
接片３はデータ信号ＳＩＤＯ１の入出力を行うデータ信号入出力接片、接片４はデータ信号ＳＩＤＯ０の入出力を行うデータ信号入出力接片、接片５はデータ信号ＳＩＤＯ２の入出力を行うデータ信号入出力接片、接片７はデータ信号ＳＩＤＯ３の入出力を行うデータ信号入出力接片である。
接片１１はデータ信号ＳＩＤＯ５の入出力を行うデータ信号入出力接片、接片１２はデータ信号ＳＩＤＯ４の入出力を行うデータ信号入出力接片、接片１３はデータ信号ＳＩＤＯ６の入出力を行うデータ信号入出力接片、接片１４はデータ信号ＳＩＤＯ７の入出力を行うデータ信号入出力接片である。
すなわち、８ビット分のデータ信号ＳＩＤＯ０〜ＳＩＤＯ７のうち、４ビット分のデータ信号ＳＩＤＯ０〜ＳＩＤＯ３は第１の接片２４を構成する接片３，４，５，７に割り当てられ、残りの４ビット分のデータ信号ＳＩＤＯ４〜ＳＩＤＯ７用は第２の接片２６を構成する接片１１〜１４に割り当てられている。
【００１７】
次に、実施例１のメモリカード１０用のコネクタについて説明する。
図８（Ａ）は実施例１におけるメモリカード１０とこのメモリカード１０用のコネクタ５０が結合されていない状態を示す説明図、（Ｂ）は（Ａ）のＢＢ線断面図である。
図９（Ａ）は実施例１におけるメモリカード１０とこのメモリカード１０用のコネクタ５０が結合された状態を示す説明図、（Ｂ）は（Ａ）のＢＢ線断面図である。
図８に示すように、コネクタ５０には、メモリカード１０が挿入される挿入口５２に臨ませてメモリカード１０の各接片２２に弾接可能（接触可能）な複数の接続端子５４が前記挿入方向と直交する方向に並べられて設けられている。
図８に示すように、接続端子５４は、接片１〜接片１０に対応する１０個の接続端子５４Ａと接片１１〜接片１４に対応する４個の接続端子５４Ｂで構成されている。
１０個の接続端子５４Ａは、前記挿入方向と直交する方向に並べられて配置されている。
そして、接片１１に対応する接続端子５４Ｂは、接片３，４に対応する２つの接続端子５４Ａの間に配置されている。
接片１２に対応する接続端子５４Ｂは、接片４，５に対応する２つの接続端子５４Ａの間に配置されている。
接片１３に対応する接続端子５４Ｂは、接片６，７に対応する２つの接続端子５４Ａの間に配置されている。
接片１４に対応する接続端子５４Ｂは、接片７，８に対応する２つの接続端子５４Ａの間に配置されている。
接続端子５４Ｂの前記挿入方向に沿った長さは、接続端子５４Ａの前記挿入方向に沿った長さよりも大きな寸法で形成され、接続端子５４Ｂが接片１１〜接片１４に接触する先端は、接続端子５４Ｂが接片１〜接片１０に接触する先端よりも接片領域２０の基部２００２寄りに位置するように構成されている。
言い換えると、隣り合う仕切り壁１４１０の間の接片領域２０箇所のうちの少なくとも１つの接片領域２０箇所に対応するコネクタ５０の箇所には、前記挿入方向と直交する方向に間隔をおいて３つの接続端子５４Ａ、５４Ｂ，５４Ａが設けられている。
３つの接続端子５４Ａ、５４Ｂ，５４Ａのうちの両側の２つの接続端子５４Ａ、５４Ａは、それら２つの接続端子５４Ａ、５４Ａの間の１つの接続端子５４Ｂよりも挿入方向に沿った長さが短く形成されている。
図９に示すように、実施例１のメモリカード１０をコネクタ５０に装着することで８つの接片３，４，７，８、１１〜１４と、８つの接続端子５４Ａ，５４Ｂを介して８ビットのパラレル形式のデータ信号ＳＩＤＯ０〜ＳＩＤＯ７の入出力を行うことができる。
【００１８】
実施例１によれば、従来から設けられていた接片１〜接片１０の１０個の接片に加えて接片１１〜接片１４の４個の接片を設けたので、従来から設けられていた４個の接片３、接片４、接片５、接片７と、新たに追加された４個の接片１１〜接片１４の４個の合計８個の接片との合計８個の接片を介して８ビットのパラレル形式のデータ信号ＳＩＤＯ０〜ＳＩＤＯ７の入出力を行うことができる。すなわち、第１の接片２４と第２の接片２６を用いることにより入出力するデータ信号のビット幅を拡張することができる。これによりデータ信号のビット幅を拡張してデータ転送速度の高速化を図る上で有利となる。
例えば４ビットのパラレル形式でデータ信号の入出力を行う従来のメモリカードＢに比較して、データ転送速度を２倍にすることができる。
また、転送クロックを高い周波数にする必要が無いので、メモリカードの伝送路を変更する必要がなく、メモリカード１０のコストアップを回避することができる。
また、図６に示すように、隣り合う２つの第１接片２４の幅細部２４０２の間に、第１接片２４の幅広部２４０４の間の隙間Ｓ１よりも大きな寸法の幅の隙間Ｓ２が接片領域２０の基部２００２から中間部２００６にわたり形成され、第２の接片２６が隣り合う２つの第１接片２４の幅細部２４０２の間の隙間Ｓ２に配置されている構成としたので、限られたスペースの中で、すなわち前記挿入方向と直交する方向の接片領域２０の大きさを増大させることなく接片の数（第２接片２６）を増やすことができる。
また、前記挿入方向と直交する方向の接片領域２０の大きさを増大させることなく２つの第１接片２４と１つの第２接片２６の前記挿入方向と直交する方向のピッチを大きな寸法で確保できる。
したがって、コネクタ５０の接続端子５４の前記挿入方向と直交する方向のピッチを大きな寸法で確保できるため、例えば、接続端子５４の断面積を大きくすることなどで各接続端子５４の機械的強度を確保できる。
また、各接続端子５４と各接片２２（第１接片２４、第２接片２６）との接触面積を大きく確保することができる。
【００１９】
なお、実施例１のメモリカード１０は、従来のメモリカード用のコネクタに装着して使用でき互換性が確保されている。
図１０（Ａ）は実施例１におけるメモリカード１０と従来のメモリカード用のコネクタ５０´が結合されていない状態を示す説明図、（Ｂ）は（Ａ）のＢＢ線断面図である。
図１１（Ａ）は実施例１におけるメモリカード１０と従来のメモリカード用のコネクタ５０´が結合された状態を示す説明図、（Ｂ）は（Ａ）のＢＢ線断面図である。
図１０に示すように、コネクタ５０には、メモリカード１０が挿入される挿入口５２に臨ませて従来のメモリカードの各接片に弾接可能（接触可能）な１０個の接続端子５６が前記挿入方向と直交する方向に並べられて設けられている。
実施例では、接片１〜接片１０は、図１９に示す１０個の接片２２´を有する従来のメモリカード１０´と同じピッチ（接片３、４，５，６，７，８にあっては幅広部２４０４の幅方向の中心間の距離）で形成されており、また、接片３、４，５，６，７，８の幅広部２４０４の間の隙間Ｓ１のピッチは、従来のメモリカード１０´の仕切り壁１４１０のピッチと同じ寸法で形成されている。
１０個の接続端子５６は実施例１のメモリカード１０の接片１〜接片１０に弾接可能（接触可能）であるが、メモリカード１０の接片１１〜接片１４に対応する接続端子は設けられていない。
したがって、図１１に示すように、実施例１のメモリカード１０を従来のメモリカード用のコネクタ５０´に装着することで４つの接片３，４，７，８のみを介して４ビットのパラレル形式のデータ信号ＳＩＤＯ０〜ＳＩＤＯ３の入出力を行うことができる。
すなわち、４ビットパラレル形式のデータ信号でデータ通信を行う外部装置のコネクタに実施例１のメモリカード１０を装着すると、接片１〜接片１０の合計１０個の接片は前記外部装置のコネクタの対応する接続端子にそれぞれ接触するが、接片１１〜接片１４は接続端子に接触されず電気的にはオープン状態となる。
この場合、例えば、メモリカード１０の制御回路が接片１〜接片１０の接続端子への接続を検出し、かつ、接片１１〜接片１４のオープン状態を検出したことに基づいて４ビットパラレル形式によるデータ通信を行うことを認識し、接片３、接片４、接片５、接片７の４個の接片を介して４ビットパラレル形式でデータ信号を通信することで互換性が確保される。
【実施例２】
【００２０】
次に実施例２について図面を参照して説明する。
実施例２が実施例１と異なる点は、実施例１では、接片３，１１、４，１２、５で構成される接片のパターンユニットが隣り合う２つの仕切り壁１４１０の間に配置され、かつ、接片６，１３，７，１４，８で構成されるパターンユニットが隣り合う２つの仕切り壁１４１０の間に配置されているのに対して、実施例２では、前記２つのパターンユニットの間に位置する１つの仕切り壁１４１０が取り除かれ、前記２つのパターンユニットが隣り合う２つの仕切り壁１４１０の間に配置されている点である。
図１２は実施例２におけるメモリカード１０を下方から見た斜視図、図１３は実施例２におけるメモリカード１０を下方から見た底面図、図１４は実施例２におけるメモリカード１０の先部の拡大図である。なお、以下では実施例１と同様の部材および部分には同一の符号を付してその説明を省略する。
実施例２のメモリカード１０においても、実施例１と同様に、８ビットのパラレル形式のデータ信号ＳＩＤＯ０〜ＳＩＤＯ７の入出力を行うことができ、これによりデータ信号のビット幅を拡張してデータ転送速度の高速化を図る上で有利となる。
また、実施例１と同様に、前記挿入方向と直交する方向の接片領域２０の大きさを増大させることなく２つの第１接片２４と１つの第２接片２６の前記挿入方向と直交する方向のピッチを大きな寸法で確保できることから、コネクタ５０の接続端子５４の前記挿入方向と直交する方向のピッチを大きな寸法で確保でき、例えば、各接続端子５４の機械的強度を確保でき、コネクタ５０の各接続端子５４と各接片２２（第１接片２４、第２接片２６）との接触面積を大きく確保することができる。
また、実施例２のメモリカード１０も、実施例１と同様に、従来のメモリカード用のコネクタに装着して使用できるように互換性を確保できることは無論である。
【００２１】
次に、第１の接片２４、第２の接片２６の変形例について説明する。
図２０は接片の変形例１を示す説明図である。
図２０に示すように、第２の接片２６の基端２００２寄りの縁部２６１０が、第１接片２４の基端２００２寄りの縁部２４１０よりも前記基端２００２側に位置するように第２の接片２６を構成してもよい。
このように構成すると、コネクタ５０がプッシュイン／プッシュアウト方式の場合、すなわちメモリカード１０を前記挿入方向に沿ってコネクタ５０に挿入するとメモリカード１０がコネクタ５０に装着されて係合され、もう一度メモリカード１０を前記挿入方向に沿ってコネクタ５０に押し込むとメモリカード１０がコネクタ５０から外れる構成である場合、コネクタ５０の接続端子５４Ｂが接触する第２の接片２６の接触領域の前記挿入方向の長さ（オーバーストローク量）を確保することができ、接続端子５４Ｂと第２の接片２６との接続を確実に行う上で有利となる。
【００２２】
図２１は接片の変形例２を示す説明図である。
図２１に示すように、前記挿入方向と直交する方向における第１の接片２４のピッチ（幅広部２４０４の中心間の距離）をＰ１とし、第２の接片２６のピッチをＰ２とした場合、Ｐ１＜Ｐ２となるように設定してもよい。言い換えると、前記実施例では、隣り合う２つの第１の接片の幅広部の間の隙間の中心線上に、第２の接片の幅方向の中心がくるように配置されていたが、２つの第２の接片２６を前記挿入方向と直交する方向で互いに離れる方向に第１の接片の幅広部の間の隙間の中心線から所定寸法オフセットして設けてもよい。
このように構成すると、２つの第２接片２６で挟まれる１つの第１の接片２４の幅細部２４０２の幅を確保して、この１つの第１の接片２４を挟む両側の第１の接片２４の幅細部２４０２の幅と合致させることが可能となり、各第１の接片２４の幅細部２４０２の幅を合わせることができ、第１の接片２４の機械的強度や抵抗値を均一に設定する上で有利となる。
【００２３】
ところで、図１９に示す１０個の接片２２´を有する従来のメモリカード１０´が実施例１，２のメモリカード１０用のコネクタ５０に仮に装着された場合、長さの大きい４個の接続端子５４Ｂが破損することが懸念される。
以下では、このような不具合を回避するための構成例１、構成例２について説明する。
図１５（Ａ）は従来のメモリカード１０´と構成例１におけるコネクタ５０が離間した状態を示す説明図、（Ｂ）は（Ａ）のＢＢ線断面図である。
図１６（Ａ）は従来のメモリカード１０´が構成例１におけるコネクタ５０に対して装着不能となることを示す説明図、（Ｂ）は（Ａ）のＢＢ線断面図である。
図１５、図１６に示すように、構成例１では、３つの接続端子５４Ａ，５４Ｂ、５４Ａが設けられた挿入口５２の箇所に、この箇所に対応するメモリカードの箇所に仕切り壁１４１０が形成されている場合、すなわちメモリカードが従来のメモリカード１０´である場合に、前記仕切り壁１４１０に当接してメモリカード１０´の挿入を阻止する挿入阻止壁６０が設けられている。
したがって、構成例１では、本発明のメモリカード１０を装脱できるものの、従来のメモリカード１０´は使用不能となる。
【００２４】
図１７（Ａ）は従来のメモリカード１０´と構成例２におけるコネクタ５０が離間した状態を示す説明図、（Ｂ）は（Ａ）のＢＢ線断面図である。
図１８（Ａ）は従来のメモリカード１０´が構成例１におけるコネクタ５０に装着された状態を示す説明図、（Ｂ）は（Ａ）のＢＢ線断面図である。
図１７、図１８に示すように、構成例２では、３つの接続端子５４Ａ、５４Ｂ、５４Ａのうちの中央の接続端子５４Ｂは両側の２つの接続端子５４Ａよりも挿入方向に沿った長さが大きく形成されている。
長さの大きい接続端子５４Ｂは、この長さの大きい接続端子５４Ｂに対応するメモリカード１０´の箇所に仕切り壁１４１０が形成されている場合に、メモリカード１０´が挿入口５２に挿入されると、長さの大きい接続端子５４Ｂが仕切り壁１４１０の縁部１４２０に係合して該縁部１４２０に沿って動き（縁部１４２０に乗り上がり）接片領域２０から離れるように構成されている。
このように１つの接続端子５４Ｂが仕切り壁１４１０の縁部１４２０に当接して退避することにより、この接続端子５４Ｂの破損が防止される。
したがって、構成例１では、本発明のメモリカード１０が装脱でき、従来のメモリカード１０´も装脱できる。
【００２５】
なお、各実施例では、従来のメモリカードの４つの仕切り壁１４１０の間の２つの仕切り壁１４１０を取り除き、互いに対向する２つの仕切り壁１４１０の間の第１の接片領域箇所２１に、３つの第１の接片２４と２つの第２の接片２６を配置した場合について説明したが、従来のメモリカードの３つの仕切り壁１４１０の間の１つの仕切り壁１４１０を取り除き、互いに対向する２つの仕切り壁１４１０の間の第１の接片領域箇所箇所２１に、２つの第１の接片２４と１つの第２の接片２６を配置した場合にも無論適用され、さらに、従来のメモリカードの５つの仕切り壁１４１０の間の３つの仕切り壁１４１０を取り除き、互いに対向する２つの仕切り壁１４１０の間の第１の接片領域箇所２１に、４つの第１の接片２４と３つの第２の接片２６を配置する場合、あるいは、まったく仕切り壁１４１０を有さず複数の第１の接片と第２の接片（あるいはこれらに従来の均一幅の接片を加えて）からなる接片領域にも本発明は無論適用される。
また、実施例では、従来のメモリカードの接片と同じピッチで第１の接片２４の幅広部２４０４を並べ、かつ、幅広部２４０４間の隙間Ｓ２を従来のメモリカードの仕切り壁１４１０のピッチと同じピッチで並べた場合について説明したが、本発明はこのように従来のメモリカードおよびコネクタに互換性を持たせた場合に限定されず、例えば、本発明のみの固有の寸法で第１の接片２４や第２の接片２６を設け、これに対応して専用のコネクタを設けるようにしてもよい。
【図面の簡単な説明】
【００２６】
【図１】実施例１におけるメモリカード１０を下方から見た斜視図である。
【図２】実施例１におけるメモリカード１０を下方から見た底面図である。
【図３】上ケース１２の単品図で上ケース１２を下方から（メモリカードの内部から）見た底面図である。
【図４】下ケース１４の単品図で下ケース１４を下方から見た底面図である。
【図５】プリント基板１６の単品図でプリント基板１６を下方から見た底面図である。
【図６】メモリカード１０の先部の一部分を拡大した図である。
【図７】接片と信号の説明図である。
【図８】（Ａ）は実施例１におけるメモリカード１０とこのメモリカード１０用のコネクタ５０が結合されていない状態を示す説明図、（Ｂ）は（Ａ）のＢＢ線断面図である。
【図９】（Ａ）は実施例１におけるメモリカード１０とこのメモリカード１０用のコネクタ５０が結合された状態を示す説明図、（Ｂ）は（Ａ）のＢＢ線断面図である。
【図１０】（Ａ）は実施例１におけるメモリカード１０と従来のメモリカード用のコネクタ５０´が結合されていない状態を示す説明図、（Ｂ）は（Ａ）のＢＢ線断面図である。
【図１１】（Ａ）は実施例１におけるメモリカード１０と従来のメモリカード用のコネクタ５０´が結合された状態を示す説明図、（Ｂ）は（Ａ）のＢＢ線断面図である。
【図１２】実施例２におけるメモリカード１０を下方から見た斜視図である。
【図１３】実施例２におけるメモリカード１０を下方から見た底面図である。
【図１４】実施例２におけるメモリカード１０の先部の拡大図である。
【図１５】（Ａ）は従来のメモリカード１０´と構成例１におけるコネクタ５０が離間した状態を示す説明図、（Ｂ）は（Ａ）のＢＢ線断面図である。
【図１６】（Ａ）は従来のメモリカード１０´が構成例１におけるコネクタ５０に対して装着不能となることを示す説明図、（Ｂ）は（Ａ）のＢＢ線断面図である。
【図１７】（Ａ）は従来のメモリカード１０´と構成例２におけるコネクタ５０が離間した状態を示す説明図、（Ｂ）は（Ａ）のＢＢ線断面図である。
【図１８】（Ａ）は従来のメモリカード１０´が構成例１におけるコネクタ５０に装着された状態を示す説明図、（Ｂ）は（Ａ）のＢＢ線断面図である。
【図１９】従来のメモリカード１０´の底面図である。
【図２０】接片の変形例１を示す説明図である。
【図２１】接片の変形例２を示す説明図である。
【図２２】従来のメモリカード１０´における複数の接片に割り当てられる各信号の説明図である。
【符号の説明】
【００２７】
１０……メモリカード、１２……上ケース、１４……下ケース、２０……接片領域、２００２……基部、２００４……先部、２００６……中間部、２２……接片、２４……第１の接片、２４０２……幅細部、２４０４……幅広部、２６……第２の接片、Ｓ２……隙間。
【図１】
2006079185.tif 000003
【図２】
2006079185.tif 000004
【図３】
2006079185.tif 000005
【図４】
2006079185.tif 000006
【図５】
2006079185.tif 000007
【図６】
2006079185.tif 000008
【図７】
2006079185.tif 000009
【図８】
2006079185.tif 000010
【図９】
2006079185.tif 000011
【図１０】
2006079185.tif 000012
【図１１】
2006079185.tif 000013
【図１２】
2006079185.tif 000014
【図１３】
2006079185.tif 000015
【図１４】
2006079185.tif 000016
【図１５】
2006079185.tif 000017
【図１６】
2006079185.tif 000018
【図１７】
2006079185.tif 000019
【図１８】
2006079185.tif 000020
【図１９】
2006079185.tif 000021
【図２０】
2006079185.tif 000022
【図２１】
2006079185.tif 000023
【図２２】
2006079185.tif 000024